(57)【要約】【課題】ムーブメント部を入れ替えることができる手回しオルゴール装置を提供する。【解決手段】オルゴール装置１０は、筐体１２と、筐体１２に取り付けられるベース板２０４と、ベース板２０４に固定され、楽曲のデータが記録されたカードを読み込む手回しオルゴールムーブメント２０２と、を備え、ベース板２０４が、木製のねじ２０８によって筐体１２に取り付けられ、ねじ２０８が演奏者の手で緩められる。【選択図】図３
2019184886.tif 000002
【特許請求の範囲】
【請求項１】
筐体と、
前記筐体に取り付けられるベース板と、
前記ベース板に固定され、楽曲のデータが記録されたカードを読み込む手回しオルゴールムーブメントと、を備えた手回しオルゴール装置。
【請求項２】
請求項１記載の手回しオルゴール装置において、
前記ベース板が、木製のねじによって前記筐体に取り付けられる手回しオルゴール装置。
【請求項３】
請求項２記載の手回しオルゴール装置において、
前記ねじが演奏者の手で緩められる手回しオルゴール装置。
【請求項４】
筐体と、前記筐体に取り付けられるベース板と、前記ベース板に固定され、楽曲のデータが記録されたカードを読み込む手回しオルゴールムーブメントと、を備え、前記ベース板が、木製のねじによって前記筐体に取り付けられ、該ねじが演奏者の手で緩められる手回しオルゴール装置の演奏方法であって、
曲に合わせてそれぞれ異なる調律がなされた複数の前記手回しオルゴールムーブメントを準備し、
前記ねじを手で緩め、演奏する曲に合わせて前記手回しオルゴールムーブメントを入れ替えて該手回しオルゴール装置を演奏する手回しオルゴール装置の演奏方法。
【発明の詳細な説明】
【技術分野】
【０００１】
本発明は、手回しオルゴール装置及び手回しオルゴール装置の演奏方法に関する。
【背景技術】
【０００２】
特許文献１には、音響効果を向上させたオルゴール装置が記載されている。このオルゴール装置は、後方側に配置された後方板と、後方板から前方側に延び、下側に配置された下側板と、後方板から前方側に延び、上側に配置された上側板と、後方板から前方側に延び、一方の側部に配置された第１の側板と、後方板から前方側に延び、他方の側部に配置された第２の側板と、を備え、前方が開口している。下側板には、オルゴールムーブメントが固定されている。
【先行技術文献】
【特許文献】
【０００３】
【特許文献１】特開２０１５−２２８００７号公報
【発明の概要】
【発明が解決しようとする課題】
【０００４】
本発明は、ムーブメント部を入れ替えることができる手回しオルゴール装置を提供することを目的とする。
【課題を解決するための手段】
【０００５】
請求項１に記載の発明は、筐体と、
前記筐体に取り付けられるベース板と、
前記ベース板に固定され、楽曲のデータが記録されたカードを読み込む手回しオルゴールムーブメントと、を備えた手回しオルゴール装置である。
【０００６】
請求項２に記載の発明は、請求項１記載の発明において、
前記ベース板が、木製のねじによって前記筐体に取り付けられる。
【０００７】
請求項３に記載の発明は、請求項２記載の発明において、
前記ねじが演奏者の手で緩められる。
【０００８】
請求項４に記載の発明は、筐体と、前記筐体に取り付けられるベース板と、前記ベース板に固定され、楽曲のデータが記録されたカードを読み込む手回しオルゴールムーブメントと、を備え、前記ベース板が、木製のねじによって前記筐体に取り付けられ、該ねじが演奏者の手で緩められる手回しオルゴール装置の演奏方法であって、
曲に合わせてそれぞれ異なる調律がなされた複数の手回しオルゴールムーブメントを準備し、
前記ねじを手で緩め、演奏する曲に合わせて前記手回しオルゴールムーブメントを入れ替えて該手回しオルゴール装置を演奏する手回しオルゴール装置の演奏方法である。
【発明の効果】
【０００９】
本発明によれば、ムーブメント部を入れ替えることができる手回しオルゴール装置を提供できる。
【図面の簡単な説明】
【００１０】
【図１】本発明の一実施の形態に係るオルゴール装置の前面側から見た斜視図である。
【図２】蓋を取り除いた同オルゴール装置の背面側から見た斜視図である。
【図３】同オルゴール装置の分解図である。
【発明を実施するための形態】
【００１１】
続いて、添付した図面を参照しつつ、本発明を具体化した実施の形態につき説明し、本発明の理解に供する。なお、図において、説明に関連しない部分は図示を省略する場合がある。
【００１２】
本発明の一実施の形態に係る手回しオルゴール装置１０（図１参照）は、演奏者が手回しハンドル２０６を回すことによって、音楽のデータが記録された帯状のカード（シート）を読み込んで演奏できる、いわゆるカード式（シート式）手回しオルゴール装置である。
手回しオルゴール装置１０は、木製の筐体１２の内部に空間Ｓ１が形成され、前方側（聴衆が位置する側）が開口している。空間Ｓ１は、上側に配置された上側板１２２及び下側に配置された下側板１２４によって少なくとも形成され、空間Ｓ１の内部には、上側板１２２と下側板１２４とを連結する連結部材１２６が設けられている。
【００１３】
手回しオルゴール装置１０の後方には、上側が蓋１２８で覆われた空間Ｓ２が形成されており、この空間Ｓ２にムーブメント部２０が配置されている。
ムーブメント部２０は、図２に示すように、手回しオルゴールムーブメント２０２及びベース板２０４を有している。
【００１４】
手回しオルゴールムーブメント２０２は、手回しハンドル２０６が回されることによって駆動され、孔の開いたカード（不図示）を読み込むことによって、カードに記録された楽曲が演奏される。
手回しオルゴールムーブメント２０２は、手回しオルゴールムーブメント２０２を構成する各部の組み付け状態を微調整することによって調律され、音響効果が変えられる。
なお、手回しオルゴールムーブメント２０２は、２０弁であってもよいし、３３弁であってもよい。
【００１５】
ベース板２０４は、筐体１２の木材よりも堅い木材によって構成された木製の板状の部材であり、ベース板２０４の上面には、手回しオルゴールムーブメント２０２が金属製のねじ（不図示）によって固定されている。
ベース板２０４の材質を筐体１２の木材よりも堅い木材とすることで、そうでない場合と比較して、手回しオルゴールムーブメント２０２が発する音（振動）がより確実に筐体１２に伝達され、オルゴール装置１０の音響効果がより向上する。
【００１６】
ベース板２０４は、例えば２つの木製のねじ２０８によって筐体１２に取り付けられる。この木製のねじ２０８は、演奏者が工具を使用することなく手で締め付けたり緩めたりすることができるねじとなっているので、ムーブメント部２０は容易に筐体１２から着脱される（図３参照）。
なお、木製のねじ２０８の材質は、ベース板２０４よりも堅い木材であることが好ましい。ねじ２０８の材質をベース板２０４よりも堅い木材とすることで、そうでない場合と比較して、手回しオルゴールムーブメント２０２が発する音（振動）がより確実に筐体１２に伝達され、オルゴール装置１０の音響効果がより向上する。
【００１７】
次に、手回しオルゴール装置１０の使用方法（演奏方法）について説明する。演奏者は、以下の手順に従って手回しオルゴール装置１０を演奏できる。
【００１８】
（手順１）
演奏者が、曲に合わせてそれぞれ異なる調律がなされた複数のムーブメント部２０を準備する。例えば、シャンソンやクラッシクの曲に合わせて音が柔らかくなるように手回しオルゴールムーブメント２０２を調律した第１のムーブメント部（不図示）や、高音が伸びるように手回しオルゴールムーブメント２０２を調律した第２のムーブメント部（不図示）を準備する。また、手回しオルゴールムーブメント２０２が２０弁の第３のムーブメント部（不図示）や、３３弁の第４のムーブメント部（不図示）を準備してもよい。
【００１９】
（手順２）
演奏会場にて、演奏者が蓋１２８を取り外し、手回しハンドル２０６を回してカードを読み込ませ、手回しオルゴール装置１０を演奏する。
演奏中、演奏者は、曲に合わせて事前に調律したムーブメント部２０を適宜入れ替え、例えば演奏者の個性を出した演奏をすることができる。その際、演奏者は、ねじ２０８を手で回してムーブメント部２０を取り外せるので、演奏を長い間中断することなくムーブメント部２０を簡単に入れ替えることができる。
【００２０】
ところで、手回しオルゴールムーブメント２０２においては、カードを噛み込んで演奏できなくなるトラブルが発生する場合がある。このようなトラブルは、手回しオルゴールムーブメント２０２が特に３３弁の場合に発生する。
しかしながら、本手回しオルゴール装置１０においては、このようなトラブルが発生した場合であっても、同様に事前に準備した予備のムーブメント部２０に交換することで演奏を継続できる。
【００２１】
このように、オルゴール装置１０においては、ムーブメント部２０が簡単に入れ替えられるので、演奏者は、音響効果が最適化された曲を演奏したり、故障に迅速に対応したりすることが容易となる。
【００２２】
以上、本発明の実施の形態を説明したが、本発明は、上記した形態に限定されるものでなく、要旨を逸脱しない条件の変更等は全て本発明の適用範囲である。
【符号の説明】
【００２３】
１０  オルゴール装置
１２  筐体
２０  ムーブメント部
１２２  上側板
１２４  下側板
１２６  連結部材
１２８  蓋
２０２  手回しオルゴールムーブメント
２０４  ベース板
２０６  手回しハンドル
Ｓ１、Ｓ２  空間
【図１】
2019184886.tif 000003
【図２】
2019184886.tif 000004
【図３】
2019184886.tif 000005